(57)【要約】  複数のニューメロロジーが設定される無線通信システムにおいて、システム情報の送信及び／又は受信を適切に行うこと。複数のニューメロロジーが設定される無線通信システムにおいて通信を行うユーザ端末であって、少なくとも１以上の報知チャネルを介して各ニューメロロジーのシステム情報を受信する受信部と、前記報知チャネルの受信を制御する制御部と、を有し、前記制御部は、各ニューメロロジーで送信される報知チャネル又は所定のニューメロロジーで選択的に送信される報知チャネルの受信を制御する。
2018030415.tif 000002
【特許請求の範囲】
【請求項１】
複数のニューメロロジーが設定される無線通信システムにおいて通信を行うユーザ端末であって、
少なくとも１以上の報知チャネルを介して各ニューメロロジーのシステム情報を受信する受信部と、
前記報知チャネルの受信を制御する制御部と、を有し、
前記制御部は、各ニューメロロジーで送信される報知チャネル又は所定のニューメロロジーで選択的に送信される報知チャネルの受信を制御することを特徴とするユーザ端末。
【請求項２】
前記制御部は、所定のニューメロロジーで送信されるアンカー報知チャネルに基づいて、他のニューメロロジーで送信される報知チャネルの受信を制御することを特徴とする請求項１に記載のユーザ端末。
【請求項３】
前記制御部は、ニューメロロジー毎にそれぞれ送信される報知チャネルを、所定信号と当該報知チャネルとの間に設定されるオフセットに基づいて受信するように制御することを特徴とする請求項１に記載のユーザ端末。
【請求項４】
前記制御部は、複数のニューメロロジーのシステム情報が組み合わされた情報を所定のニューメロロジーで受信するように制御することを特徴とする請求項１に記載のユーザ端末。
【請求項５】
前記制御部は、所定のニューメロロジーで前記アンカー報知チャネルを受信すると共に、前記アンカー報知チャネルに基づいて他のニューメロロジーのシステム情報を含む報知チャネルを当該所定のニューメロロジーで受信するように制御することを特徴とする請求項１に記載のユーザ端末。
【請求項６】
複数のニューメロロジーが設定される無線通信システムにおいて通信を行うユーザ端末の無線通信方法であって、
少なくとも１以上の報知チャネルを受信する工程と、
受信した報知チャネルから各ニューメロロジーのシステム情報を取得する工程と、を有し、
各ニューメロロジーで送信される報知チャネル又は所定のニューメロロジーで選択的に送信される報知チャネルの受信を制御することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．１０以降）では、広帯域化を図るために、複数のキャリア（コンポーネントキャリア（ＣＣ：Component  Carrier）、セル）を統合するキャリアアグリゲーション（ＣＡ：Carrier  Aggregation）が導入されている。各キャリアは、ＬＴＥ  Ｒｅｌ．８のシステム帯域を一単位として構成される。また、ＣＡでは、同一の無線基地局（eNB：eNodeB）の複数のＣＣがユーザ端末（ＵＥ：User  Equipment）に設定される。【０００４】
また、既存のＬＴＥシステム（例えば、ＬＴＥ  Ｒｅｌ．１２以降）では、異なる無線基地局の複数のセルグループ（ＣＧ：Cell  Group）がユーザ端末に設定されるデュアルコネクティビティ（ＤＣ：Dual  Connectivity）も導入されている。各セルグループは、少なくとも一つのキャリア（ＣＣ、セル）で構成される。異なる無線基地局の複数のキャリアが統合されるため、ＤＣは、基地局間ＣＡ（Inter-eNB  CA）などとも呼ばれる。【０００５】
また、既存のＬＴＥシステム（例えば、ＬＴＥ  Ｒｅｌ．８−１３）では、１ｍｓの伝送時間間隔（ＴＴＩ：Transmission  Time  Interval）（サブフレームともいう）を用いて、下りリンク（ＤＬ：Downlink）及び／又は上りリンク（ＵＬ：Uplink）の通信が行われる。当該１ｍｓのＴＴＩは、チャネル符号化された１データ・パケットの送信時間単位であり、スケジューリング、リンクアダプテーションなどの処理単位となる。
【先行技術文献】
【非特許文献】
【０００６】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
将来の無線通信システム（例えば、５Ｇ、ＮＲなど）では、高速で大容量の通信（ｅＭＢＢ：enhanced  Mobile  Broad  Band）、ＩｏＴ（Internet  of  Things）やＭＴＣ（Machine  Type  Communication）などの機器間通信（Ｍ２Ｍ：Machine-to-Machine）用のデバイス（ユーザ端末）からの大量接続（ｍＭＴＣ：massive  ＭＴＣ）、低遅延で高信頼の通信（ＵＲＬＬＣ：Ultra-reliable  and  low  latency  communication）など、多様なサービスを単一のフレームワークで収容することが望まれている。【０００８】
このように、将来の無線通信システムでは、遅延削減に対する要求が異なる複数のサービスが混在することが想定される。例えば、ユーザ端末が利用形態に応じて複数のサービス（異なるニューメロロジー）を利用することが考えられる。また、将来の無線通信システムでは、異なるニューメロロジー（numerology）を利用する（又はサポートする）複数のユーザ端末を、同一キャリア（ＣＣ、セル）内に多重することも検討されている。【０００９】
ここで、ニューメロロジーとは、周波数方向及び／又は時間方向における通信パラメータ（例えば、サブキャリア間隔、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。【００１０】
一方で、ユーザ端末がニューメロロジーの異なるフレーム構成の少なくとも一つを利用して通信を行う場合、通信をどのように制御するかが問題となる。例えば、ユーザ端末が各ニューメロロジーを利用して通信を行う場合、各ニューメロロジーのシステム情報を把握する必要がある。かかる場合、ユーザ端末が当該システム情報等を好適に受信できる方法が望まれる。【００１１】
本発明はかかる点に鑑みてなされたものであり、複数のニューメロロジーが設定される無線通信システムにおいて、システム情報の送信及び／又は受信を適切に行うことができるユーザ端末及び無線通信方法を提供することを目的の一つとする。
【課題を解決するための手段】
【００１２】
本発明の一態様に係るユーザ端末は、複数のニューメロロジーが設定される無線通信システムにおいて通信を行うユーザ端末であって、少なくとも１以上の報知チャネルを介して各ニューメロロジーのシステム情報を受信する受信部と、前記報知チャネルの受信を制御する制御部と、を有し、前記制御部は、各ニューメロロジーで送信される報知チャネル又は所定のニューメロロジーで選択的に送信される報知チャネルの受信を制御することを特徴とする。
【発明の効果】
【００１３】
本発明によれば、複数のニューメロロジーが設定される無線通信システムにおいて、システム情報の送信及び／又は受信を適切に行うことができる。
【図面の簡単な説明】
【００１４】
【図１】各ニューメロロジーのＭＩＢの送信方法の課題を説明する図である。
【図２】複数のニューメロロジーにおけるＭＩＢの送信方法の一例を示す図である。
【図３】帯域幅（ＮＲ  ＢＷ）とニューメロロジー間のオフセットを規定したテーブルの一例を示す図である。
【図４】ニューメロロジー間のオフセットを規定したテーブルの一例を示す図である。
【図５】図５Ａは、ニューメロロジー間のオフセットを規定したテーブルの一例を示し、図５Ｂは、複数のニューメロロジーにおけるＭＩＢの送信方法の一例を示す図である。
【図６】複数のニューメロロジーにおけるＭＩＢの送信方法の他の例を示す図である。
【図７】複数のニューメロロジーにおけるＭＩＢの送信方法の他の例を示す図である。
【図８】複数のニューメロロジーにおけるＭＩＢの送信方法の他の例を示す図である。
【図９】複数のニューメロロジーにおけるＭＩＢの送信方法の他の例を示す図である。
【図１０】複数のニューメロロジーにおけるＭＩＢの送信方法の他の例を示す図である。
【図１１】複数のニューメロロジーにおけるＭＩＢの送信方法の他の例を示す図である。
【図１２】本発明の一実施形態に係る無線通信システムの概略構成の一例を示す図である。
【図１３】本発明の一実施形態に係る無線基地局の全体構成の一例を示す図である。
【図１４】本発明の一実施形態に係る無線基地局の機能構成の一例を示す図である。
【図１５】本発明の一実施形態に係るユーザ端末の全体構成の一例を示す図である。
【図１６】本発明の一実施形態に係るユーザ端末の機能構成の一例を示す図である。
【図１７】本発明の一実施形態に係る無線基地局及びユーザ端末のハードウェア構成の一例を示す図である。
【発明を実施するための形態】
【００１５】
将来の新しい通信システムで用いられるアクセス方式（５Ｇ  ＲＡＴ、Ｎｅｗ  ＲＡＴなどと呼ばれてもよい）としては、既存のＬＴＥ／ＬＴＥ−Ａシステムで用いられるアクセス方式（ＬＴＥ  ＲＡＴ、ＬＴＥ−Ｂａｓｅｄ  ＲＡＴなどと呼ばれてもよい）を拡張したものが検討されている。
【００１６】
５Ｇ  ＲＡＴでは、ＬＴＥ  ＲＡＴと異なる無線フレーム及び／又は異なるサブフレーム構成が用いられてもよい。例えば、５Ｇ  ＲＡＴの無線フレーム構成は、既存のＬＴＥ（ＬＴＥ  Ｒｅｌ．８−１２）と比較して、サブフレーム長、シンボル長、サブキャリア間隔、システム帯域幅の少なくとも一つが異なる無線フレーム構成とすることができる。
【００１７】
なお、サブフレームは、送信時間間隔（ＴＴＩ：Transmission  Time  Interval）と呼ばれてもよい。例えば、ＬＴＥ  Ｒｅｌ．８−１２におけるＴＴＩ（サブフレーム）長は、１ｍｓであり、２つの時間スロットで構成される。ＴＴＩは、チャネル符号化されたデータパケット（トランスポートブロック）の送信時間単位であり、スケジューリング、リンクアダプテーション（Link  Adaptation）などの処理単位となる。
【００１８】
より具体的には、５Ｇ  ＲＡＴにおいては、新たに無線パラメータを決定するが、例えば、ＬＴＥ  ＲＡＴのニューメロロジー（numerology）に基づいて、ＬＴＥの無線フレームを規定する通信パラメータ（例えば、サブキャリア間隔、帯域幅、シンボル長など）を定数倍（例えば、Ｎ倍や１／Ｎ倍）して用いる方法も検討されている。ここで、ニューメロロジーとは、あるＲＡＴにおける信号のデザインや、ＲＡＴのデザインを特徴付ける通信パラメータのセットのことをいう。なお、１つのＲＡＴで複数のニューメロロジーが規定され、用いられてもよい。
【００１９】
また、複数のニューメロロジーが異なるとは、例えば、下記（１）−（６）のうち少なくとも１つが異なる場合を表すものとするが、これに限られない：（１）サブキャリア間隔、（２）ＣＰ（Cyclic  Prefix）長、（３）シンボル長、（４）ＴＴＩあたりのシンボル数、（５）ＴＴＩ長、（６）フィルタリング処理やウィンドウイング処理。
【００２０】
５Ｇ  ＲＡＴ（ＮＲ）では、キャリア周波数として非常に広い周波数（例えば、１ＧＨｚ−１００ＧＨｚ）をターゲットとしているため、用途ごとの要求条件に応じて、シンボル長やサブキャリア間隔などが異なる複数のニューメロロジーがサポートされ、これらが共存することが考えられる。５Ｇ  ＲＡＴに採用されるニューメロロジーの一例としては、ＬＴＥ  ＲＡＴを基準としてサブキャリア間隔や帯域幅をＮ（例えば、Ｎ＞１）倍にし、シンボル長を１／Ｎ倍にする構成が考えられる。
【００２１】
ところで、既存のＬＴＥシステムにおいて、ユーザ端末は、下りリンク通信に必要なシステム情報（報知情報）を報知チャネル（ＰＢＣＨ）で送信されるＭＩＢ（Master  Information  Block）等で受信する。ＭＩＢは、中心帯域１．４ＭＨｚ（中心６ＲＢｓ）において、１０ｍｓｅｃ周期で各無線フレームにおけるＳｕｂｆｒａｍｅ＃０で送信される。
【００２２】
ＭＩＢには、下りリンクを受信するための必要な情報（下りリンクの帯域幅、下りリンク制御チャネル構成、システムフレーム番号（ＳＦＮ）等）が含まれている。ユーザ端末は、ＭＩＢに基づいて下り共有データチャネル（ＰＤＳＣＨ）で伝送されるＳＩＢ（System  Information  Block）の受信を制御する。ＭＩＢの割り当て位置は、時間リソース、周波数リソースで固定となっている。このように、ＭＩＢは、固定的なリソースで無線基地局から送信されるため、ユーザ端末に対して特別な通知をすることなく受信を行うことができる。
【００２３】
一方で、５Ｇ  ＲＡＴのキャリア（ＮＲキャリア）において複数のニューメロロジーが設定される場合、異なるニューメロロジー間でシステム情報（例えば、システムフレーム番号及び／又はサブフレームインデックス等）が異なることが想定される。また、異なるニューメロロジー間でＰＲＡＣＨ構成に関する情報が異なることも想定される。あるいは、異なるニューメロロジー間で共通する情報も生じることが想定される。かかる場合、各ニューメロロジーに対応するシステム情報等をＭＩＢに含めて報知チャネルで送信することが考えられるが、各ニューメロロジーのシステム情報をどのように送信するかが問題となる。
【００２４】
図１は、異なるニューメロロジー（ここでは、Ｎ１とＮ２）において、それぞれＭＩＢを送信する報知チャネルが設定される場合を示している。この場合、システム情報（ＭＩＢ）の送信方法（ユーザ端末における検出方法）や、送信するシステム情報（ＭＩＢ）の内容をどのように制御するかが問題となる。
【００２５】
そこで、本発明者等は、複数のニューメロロジーのシステム情報の送受信を、ニューメロロジー毎に個別制御する方法、又は複数ニューメロロジーを組み合わせて制御することを着想した。具体的には、各ニューメロロジーに対応するシステム情報（例えば、ＭＩＢの内容）をそれぞれ別々に設定して送受信を制御する。あるいは、各ニューメロロジーに対応するシステム情報（例えば、ＭＩＢの内容）を組み合わせて送受信を制御する。
【００２６】
以下に本実施の形態について詳細に説明する。以下の説明では、主に３つの異なるニューメロロジー（Ｎ１、Ｎ２、Ｎ３）を例に挙げて説明するが、適用可能なニューメロロジー数はこれに限られない。また、以下の説明では、システム情報／報知情報（ＭＩＢ）の送受信方法について説明するが、本実施の形態が適用可能な信号はＭＩＢに限られない。ニューメロロジー毎に異なって設定される情報であれば同様に適用することができる。また、ＭＩＢに含まれる情報は、以下に説明する情報に加えて既存のＭＩＢに含まれる内容が含んでいてもよい。また、以下に説明する複数の態様はそれぞれ単独で実施してもよいし、適宜組み合わせて実施することも可能である。
【００２７】
（第１の態様）
第１の態様では、システム情報又は報知情報（ＭＩＢの内容）をニューメロロジー毎に別々に設定して報知チャネル（ＭＩＢ）の送受信を制御する場合の一例について説明する。また、第１の態様では、ユーザ端末が、所定のＭＩＢ（アンカーＭＩＢ、anchor  MIB、アンカー報知チャネルとも呼ぶ）に基づいて、別々に設定されたＭＩＢ（ターゲットＭＩＢ、対象ＭＩＢとも呼ぶ）の受信を制御する場合について説明する。
【００２８】
図２は、ユーザ端末が所定のニューメロロジー（ここでは、Ｎ１）で送信されるアンカーＭＩＢ（アンカー報知チャネル）に基づいて、他のニューメロロジー（ここでは、Ｎ２、Ｎ３）のＭＩＢを受信する場合の一例を示している。アンカーＭＩＢには、他のニューメロロジーのＭＩＢを検出するための情報（アシスト情報）が含まれている。また、アンカーＭＩＢには、アンカーニューメロロジー（Ｎ１）のシステム情報が含まれていてもよい。アンカーＭＩＢが送信されるニューメロロジーは、アンカーニューメロロジーと呼んでも良い。
【００２９】
例えば、ユーザ端末は、無線基地局から送信される同期信号を受信して同期をとった後、アンカーニューメロロジーで送信されるアンカーＭＩＢの受信を行う。ユーザ端末がアンカーニューメロロジーを認識する方法として、あらかじめアンカーニューメロロジーを定義しておく方法、又は所定信号（例えば、同期信号）に基づいて判断する方法を適用することができる。
【００３０】
例えば、複数のニューメロロジーで同期信号が共通に設定される場合（shared  SS  design）、ユーザ端末は、共通に設定される同期信号（共通同期信号）が送信されるニューメロロジーをアンカーニューメロロジーとして判断する。つまり、ユーザ端末は、同期信号に対して受信処理（例えば、ブラインド検出）を行うことにより、アンカーニューメロロジーを把握することができる。
【００３１】
複数のニューメロロジー毎に同期信号がそれぞれ設定される場合（separate  SS  design）、所定のニューメロロジーをアンカーニューメロロジーとしてあらかじめ定義しておけばよい。この場合、ユーザ端末は同期信号を検出したニューメロロジーに関わらず、アンカーニューメロロジーを特定することができる。アンカーニューメロロジーとしては、あるサブキャリア間隔（例えば、１５ｋＨｚ）を適用するニューメロロジーとすることができる。
【００３２】
アンカーニューメロロジーで送信されるアンカーＭＩＢの位置（周波数及び／又は時間リソース）は、あらかじめ定義してもよい。あるいは、所定信号に基づいてアンカーＭＩＢの位置を判断してもよい。一例として、同期信号（例えば、アンカーニューメロロジーの同期信号）の位置から所定のオフセット（例えば、周波数及び／又は時間リソースオフセット）だけ離れた位置にアンカーＭＩＢが配置される構成とすることができる。ユーザ端末は、受信した同期信号に基づいてアンカーＭＩＢを受信することが可能となる。
【００３３】
ユーザ端末は、自端末がサポートするニューメロロジーの少なくとも一つを選択して通信を制御する。例えば、複数のニューメロロジーのうちアンカーニューメロロジーのみサポートするユーザ端末は、アンカーニューメロロジーでＭＩＢ（アンカーＭＩＢ）を検出して当該アンカーニューメロロジーに対応するシステム情報を取得する。
【００３４】
複数のニューメロロジーをサポートするユーザ端末は、所定数Ｍ（例えば、Ｍ（≧１））のニューメロロジーを通信対象のニューメロロジー（target  numerologies）として選択することができる。所定数Ｍと当該Ｍ個のターゲットニューメロロジーは、ユーザ端末の能力等に基づいてユーザ端末が自律的に決定してもよいし、無線基地局からの指示により決定してもよい。あるいは、ユーザ端末は、あらかじめ定義された規則（又は選択テーブル）に基づいてＭ個のターゲットニューメロロジーを選択してもよい。
【００３５】
無線基地局がユーザ端末の利用するニューメロロジー（ターゲットニューメロロジー）を指定する場合、当該無線基地局は、ニューメロロジーの優先度に関する情報をユーザ端末に通知する。ニューメロロジーの優先度に関する情報は、アンカーＭＩＢ及び／又はアンカーニューメロロジーで送信されるＳＩＢ等に含めてユーザ端末に通知することができる。ユーザ端末は、ニューメロロジーの優先度に関する情報に基づいて、自端末がサポートするニューメロロジーのうち優先度が高いＭ個（例えば、最も優先度が高い１つ）のターゲットニューメロロジーを選択する。
【００３６】
ユーザ端末は、選択したターゲットニューメロロジーに対応するＭＩＢ（ターゲットＭＩＢ）の受信を行う。ターゲットＭＩＢ（ターゲット報知チャネル）はアンカーＭＩＢに基づいて受信を行うことができる。例えば、ユーザ端末は、アンカーＭＩＢとの間に予め設定されたオフセットに基づいて、ターゲットＭＩＢの受信を制御する。アンカーＭＩＢとターゲットＭＩＢ間のオフセットは、予め規定しておいてもよい。
【００３７】
以下にユーザ端末が通信に利用するターゲットニューメロロジーに対応するターゲットＭＩＢを受信する方法について説明する。
【００３８】
（方法１）
まず、ユーザ端末は、アンカーニューメロロジーで送信されるアンカーＭＩＢを受信する。無線基地局は、アンカーＭＩＢに所定のニューメロロジー（ターゲットニューメロロジー）を指定する情報を含めてユーザ端末に通知する。例えば、無線基地局は、ターゲットニューメロロジーを指定する情報を所定ビット（例えば、２ビット）でユーザ端末に通知する。
【００３９】
２ビットの一例として、サブキャリア間隔が１５ＫＨｚに対応するニューメロロジー（例えば、Ｎ１）と３０ＫＨｚに対応するニューメロロジー（Ｎ２）を“００”、１５ＫＨｚに対応するニューメロロジー（例えば、Ｎ１）と６０ＫＨｚに対応するニューメロロジー（Ｎ３）を“０１”、１５ＫＨｚに対応するニューメロロジー（例えば、Ｎ１）と３０ＫＨに対応するニューメロロジー（例えば、Ｎ２）と６０ＫＨｚに対応するニューメロロジー（Ｎ３）を“１０”に設定する（“１１”はリザーブ）。ユーザ端末は、アンカーＭＩＢに含まれるビット値に基づいて、ターゲットＭＩＢの受信を行うニューメロロジーを判断することができる。
【００４０】
あるいは、ビットマップ（例えば、Ｎ１−Ｎ３に対応する３ビットのビットマップ）を用いてターゲットニューメロロジーに関する情報をユーザ端末に通知してもよい。
【００４１】
ユーザ端末は、ターゲットニューメロロジーを決定した後、アンカーニューメロロジー（アンカーＭＩＢ）との間に設定されるオフセットに基づいてターゲットＭＩＢを受信する。アンカーニューメロロジー（ここでは、Ｎ１）のアンカーＭＩＢとターゲットＭＩＢとの間に設定されるオフセットは、予め定義されたテーブルに基づいて判断することができる。
【００４２】
アンカーＭＩＢとターゲットＭＩＢ間のオフセットは、複数のニューメロロジーを含む帯域幅（例えば、複数のニューメロロジーが設定される帯域幅の合計）毎にそれぞれ定義することができる。図３は、複数のニューメロロジーが設定される帯域幅（ＮＲ  ＢＷ）の長さに応じて、アンカーＭＩＢとターゲットＭＩＢ間に設定されるオフセットを示すテーブルの一例を示している。例えば、ＮＲ  ＢＲが１．４ＭＨｚである場合、Ｎ１（アンカーＭＩＢ）とＮ２（Ｎ２用のＭＩＢ）間のオフセットはＭとなる。一方で、Ｎ１（アンカーＭＩＢ）とＮ３（Ｎ３用のＭＩＢ）間のオフセットがＭ’となる。なお、図３におけるオフセットは、周波数方向のオフセット（周波数リソースオフセット）とすることができ、ＰＲＢ、ＲＥ単位で設定することができる。なお、時間方向のオフセットについても同様にテーブルに定義してもよいし、時間方向のオフセットはゼロに設定してもよい。
【００４３】
複数のニューメロロジーが設定される帯域幅（ＮＲ  ＢＷ）に関する情報は、アンカーＭＩＢ等に含めて無線基地局からユーザ端末に通知することができる。例えば、３ビットを利用して、所定の帯域幅（例えば、１．４ＭＨｚ、３ＭＨｚ、５ＭＨｚ、１０ＭＨｚ、１５ＭＨｚ、２０ＭＨｚのいずれか）をユーザ端末に通知する。もちろん、帯域幅や適用するビット数はこれに限られず適宜変更することができる。あるいは、ニューメロロジー毎の帯域幅に関する情報をアンカーＭＩＢに含めて通知してもよい。
【００４４】
ユーザ端末は、アンカーＭＩＢに含まれる情報、図３のテーブル等に基づいて、ターゲットＭＩＢを受信することができる。
【００４５】
（方法２）
方法２では、方法１のテーブル（図３）と異なるテーブルを利用する場合を示す。なお、テーブルの利用以外の構成は方法１の構成を適用することができる。
【００４６】
図４は、各ニューメロロジー間に設定されるオフセットを示すテーブルである。ここでは、各ターゲットニューメロロジーについて、１ビットを利用して、アンカーＭＩＢとターゲットＭＩＢ間のオフセットをそれぞれ規定する場合を示している。
【００４７】
具体的には、ビット値が“０”の場合、Ｎ２（ターゲットＭＩＢ）とＮ１（アンカーＭＩＢ）間のオフセットがＭであり、ビット値が“１”の場合、Ｎ２とＮ１間のオフセットがｍとなる。同様に、ビット値が“０”の場合、Ｎ３とＮ１間のオフセットがＭ’であり、ビット値が“１”の場合、Ｎ３とＮ１間のオフセットがｍ’となる。つまり、図４では、１ビットを利用して、２つの条件（例えば、２種類の帯域幅等）におけるアンカーＭＩＢとターゲットＭＩＢのオフセットをユーザ端末に通知することができる。
【００４８】
無線基地局は、ユーザ端末に設定されるターゲットニューメロロジー等に基づいて、所定のビット値をユーザ端末に通知する。なお、図４に示すように１ビットで通知を行う場合には、ターゲットニューメロロジー毎に２つのオフセットが設定できるが、２つより多いオフセットを設定する場合にはビット数を増やせばよい。
【００４９】
（方法３）
ユーザ端末は、アンカーニューメロロジーで送信されるアンカーＭＩＢを受信する。無線基地局は、アンカーＭＩＢにターゲットニューメロロジーを指定する情報と、複数のニューメロロジーが設定される帯域幅（ＮＲ  ＢＷ）に関する情報を含めてユーザ端末に通知する。
【００５０】
例えば、無線基地局は、複数のニューメロロジーが設定される合計の帯域幅（ＮＲ  ＢＷ）に関する情報を所定ビット（例えば、３ビット）でユーザ端末に通知する。また、無線基地局は、ターゲットニューメロロジーを指定する情報を所定ビット（例えば、２ビット）でユーザ端末に通知する。ユーザ端末への通知方法は上記方法１、２と同様に行うことができる。
【００５１】
また、無線基地局は、各ニューメロロジーの構成に関する情報（例えば、ニューメロロジー毎の帯域幅比率に関する情報）をユーザ端末に通知する。各ニューメロロジーに設定される報知チャネルの構成（例えば、配置位置）が予め定義されている場合、ユーザ端末は、複数のニューメロロジーが設定される合計の帯域幅と、ニューメロロジー毎の帯域幅比率に関する情報に基づいてターゲットＭＩＢを検出することができる。
【００５２】
ニューメロロジー毎の帯域幅比率は、予めテーブルに規定しておき、所定のビット値をユーザ端末に通知することができる（図５Ａ参照）。図５Ａでは、２つのニューメロロジーが設定される場合と、３つのニューメロロジーが設定される場合の各ニューメロロジーの帯域幅の比率が規定されている。例えば、ビット値が“００”の場合、２つのニューメロロジー（例えば、Ｎ１とＮ２）の帯域幅比率が１：３である、又は３つのニューメロロジー（例えば、Ｎ１とＮ２とＮ３）の帯域幅比率が１：２：２である場合に対応する。
【００５３】
２つのニューメロロジー（例えば、Ｎ１とＮ２）において、それぞれのニューメロロジーを構成するＰＲＢのうち中央のＰＲＢでＭＩＢが送信されることが予め定義されている場合を想定する。かかる場合、無線基地局がＮＲ  ＢＲが３ＭＨｚ、ターゲットニューメロロジーがＮ１とＮ２、ニューメロロジー構成が１：２（ビット値“０１”）である旨をユーザ端末に通知した場合、ユーザ端末はＮ１の帯域幅が１ＭＨｚ、Ｎ２の帯域幅が２ＭＨｚであり、アンカーＭＩＢと対象ＭＩＢのオフセットが１．５Ｍｈｚであると判断することができる（図５Ｂ参照）。このように、ユーザ端末はアンカーＭＩＢに基づいてターゲットニューメロロジーのＭＩＢを受信することができる。
【００５４】
続いて、アンカーＭＩＢとその他のＭＩＢ（ターゲットＭＩＢ）に含めるシステム情報（ＭＩＢの内容）の一例について説明する。
【００５５】
＜ＳＦＮ／サブフレームインデックス＞
異なるニューメロロジー間で共通のシステムフレーム番号（ＳＦＮ）及び／又はサブフレームインデックスを利用する場合、アンカーＭＩＢに共通のＳＦＮ及び／又はサブフレームインデックスの情報を含めることができる。ユーザ端末は、アンカーＭＩＢに含まれる共通情報から各ニューメロロジーに共通に適用されるＳＦＮ及び／又はサブフレームインデックスを把握することができる。
【００５６】
ニューメロロジー毎（少なくとも一つのニューメロロジー）に固有のＳＦＮ及び／又はサブフレームインデックスを利用する場合、各ニューメロロジーに対応するＭＩＢ（ターゲットＭＩＢ）にＳＦＮ及び／又はサブフレームインデックスの情報を含めることができる。この場合、無線基地局は、ＳＦＮ及び／又はサブフレーム番号に関連するパラメータを各ＭＩＢ（ターゲットＭＩＢ）の固有の領域で送信し、アンカーＭＩＢの共通情報には含めないことができる。
【００５７】
ターゲットニューメロロジーのＳＦＮ及び／又はサブフレームインデックスが、アンカーニューメロロジーのＳＦＮ及び／又はサブフレームインデックスから所定の時間インターバル（例えば、Ｘ）だけ離れている場合、アンカーＭＩＢの共通情報にＳＦＮ及び／又はサブフレーム番号に関連するパラメータを含めることができる。所定の時間インターバルは予め規定された値であってもよいし、アンカーＭＩＢに含めてユーザ端末に通知されてもよい。これにより、ユーザ端末は、アンカーＭＩＢを受信することにより、各ニューメロロジーのＳＦＮ及び／又はサブフレームインデックスを把握することができる。
【００５８】
＜他の情報＞
アンカーＭＩＢの固有情報は当該アンカーＭＩＢに含めてユーザ端末に通知する。アンカーＭＩＢの固有情報としては、アンカーニューメロロジー（例えば、当該アンカーＭＩＢ）の受信に利用する参照信号に関するパラメータ（例えば、ポート番号、時間及び／又は周波数リソース等）、ＰＲＡＣＨに関するパラメータ（例えば、ランダムアクセス用のプリアンブルインデックス、時間及び／又は周波数リソース等）が挙げられる。
【００５９】
ターゲットＭＩＢに関する情報は当該ターゲットＭＩＢに含めてユーザ端末に通知する。ターゲットＭＩＢに関する情報としては、ターゲットニューメロロジー（例えば、当該ターゲットＭＩＢ）の受信に利用する参照信号に関するパラメータ（例えば、ポート番号、時間及び／又は周波数リソース等）、ＰＲＡＣＨに関するパラメータ（例えば、ランダムアクセス用のプリアンブルインデックス、時間及び／又は周波数リソース等）が挙げられる。
【００６０】
ターゲットＭＩＢの検出時間（ユーザ端末がターゲットＭＩＢを検出するタイミング）は、アンカーＭＩＢから所定の時間オフセットを設定してもよいし、同期信号（例えば、アンカーニューメロロジーの同期信号、又はターゲットニューメロロジーの同期信号）から所定の時間オフセットを設定してもよい。あるいは、ターゲットニューメロロジーにおいて固定的に設定されたＳＦＮ及び／又はサブフレームとしてもよい。
【００６１】
＜ユーザ端末動作＞
ユーザ端末は、同期信号（shared  SS又はseparate  SS）を受信した後、アンカーニューメロロジーでアンカーＭＩＢの検出を行う。アンカーニューメロロジーの認識方法は上述した方法を適用することができる。次に、ユーザ端末は、ターゲットニューメロロジーを選択する。ユーザ端末が１つのニューメロロジー（アンカーニューメロロジー）のみサポートしている場合、当該アンカーニューメロロジーでアンカーＭＩＢを受信し、その後の手順（ＳＩＢ受信等）を行う。
【００６２】
ユーザ端末が複数のニューメロロジーをサポートしている場合、アンカーＭＩＢに基づいて選択したターゲットニューメロロジーのＭＩＢを受信する。ターゲットＭＩＢを受信した後、ＳＩＢの受信処理等を行う。
【００６３】
このように、複数のニューメロロジーのＭＩＢをアンカーＭＩＢに基づいて受信する場合、必ず受信するアンカーＭＩＢに共通情報を含めることにより、ターゲットＭＩＢに共通情報を含める必要がなくなる。これにより、ターゲットＭＩＢのオーバーヘッドの増加を抑制することができる。
【００６４】
（第２の態様）
第２の態様では、システム情報（ＭＩＢの内容）をニューメロロジー毎に別々に設定して報知チャネル（ＭＩＢ）の送受信を制御する場合の一例について説明する。また、第２の態様では、ユーザ端末が、各ニューメロロジーにそれぞれ対応するＭＩＢを直接受信する場合について説明する。
【００６５】
図６は、ユーザ端末が各ニューメロロジー（ここでは、Ｎ１−Ｎ３）でそれぞれ送信されるＭＩＢを直接（アンカーＭＩＢを介さずに）受信する場合の一例を示している。なお、図６では、各ニューメロロジーで送信されるＭＩＢが同じ時間領域（時間リソース）に配置される場合を示しているが、これに限られない。
【００６６】
ユーザ端末が、１つのニューメロロジーのみサポートする場合、ユーザ端末はサポートするニューメロロジーにおいてＭＩＢの受信処理（例えば、ブラインド検出）を行う。これにより、ユーザ端末は、自端末がサポートするニューメロロジーのシステム情報を選択的に取得することができる。
【００６７】
複数のニューメロロジーをサポートするユーザ端末は、所定数Ｍ（例えば、Ｍ（≧１））のニューメロロジーを通信対象ニューメロロジー（ターゲットニューメロロジー）として選択することができる。例えば、ユーザ端末は、サポートするニューメロロジーにおいて全てのＭＩＢを受信し、受信後に所定数Ｍ個のニューメロロジーを選択する。所定数Ｍと当該Ｍ個のターゲットニューメロロジーは、ユーザ端末の能力等に基づいてユーザ端末が自律的に決定してもよいし、無線基地局からの指示により決定してもよい。あるいは、ユーザ端末は、あらかじめ定義された規則（又は選択テーブル）に基づいてターゲットニューメロロジーを選択してもよい。
【００６８】
無線基地局がユーザ端末にターゲットニューメロロジーを指定する場合、当該無線基地局は、例えば、ニューメロロジーの優先度に関する情報をユーザ端末に通知する。ニューメロロジーの優先度に関する情報は、各ニューメロロジーに対応するＭＩＢに含めてユーザ端末に通知することができる。ユーザ端末は、ニューメロロジーの優先度に関する情報に基づいて、自端末がサポートするニューメロロジーのうち優先度が高いＭ個（例えば、最も優先度が高い１個）のニューメロロジーを選択することができる。
【００６９】
あるいは、ユーザ端末は、ＭＩＢの受信を行う前にＭ個のニューメロロジーを選択してもよい。この場合、ユーザ端末は、選択したターゲットニューメロロジーに対応するＭＩＢのみ選択的に受信するように制御することができる。これにより、ターゲットニューメロロジー以外のＭＩＢの受信動作を省略することができる。
【００７０】
ユーザ端末は、選択したニューメロロジーに対応するＭＩＢ（ターゲットＭＩＢ）の受信を行う。例えば、ユーザ端末は、所定信号とターゲットＭＩＢとの間に予め設定されたオフセットに基づいて、ターゲットＭＩＢの受信を制御する。所定信号としては、同じニューメロロジーで検出した同期信号及び／又は異なるニューメロロジーで検出した同期信号を利用することができる。
【００７１】
例えば、複数のニューメロロジーにおいて共通の同期信号が設定される場合（shared  SS）、ユーザ端末は、共通同期信号とターゲットＭＩＢ間に設定されるオフセットに基づいて、ターゲットＭＩＢの受信を制御する。共通同期信号とターゲットＭＩＢ間に設定されるオフセットに関する情報は、予め定義してもよいし、無線基地局からユーザ端末に通知してもよい。
【００７２】
図７は、所定のニューメロロジー（ここでは、Ｎ１）で共通同期信号が送信され、当該共通同期信号に基づいて各ニューメロロジー（Ｎ１−Ｎ３）でそれぞれ送信されるＭＩＢを受信する場合の一例を示している。ユーザ端末が、ターゲットニューメロロジーとして、Ｎ１−Ｎ３を選択した場合、共通同期信号（例えば、共通同期信号との間に設定されるオフセット）に基づいて各ニューメロロジーのＭＩＢの受信を制御する。共通同期信号と各ＭＩＢとの間に設定されるオフセットは予め定義されてもよいし、無線基地局からユーザ端末に通知してもよい。
【００７３】
例えば、ユーザ端末は、共通同期信号が送信されるニューメロロジー（ここでは、Ｎ１）において当該共通同期信号とＮ１用のＭＩＢ間に設定されたオフセット（周波数及び／又は時間リソースのオフセット）に基づいてＮ１用のＭＩＢを受信する。同様に、ユーザ端末は、共通同期信号とＮ２用のＭＩＢ間に設定されたオフセットと、Ｎ３用のＭＩＢ間に設定されたオフセットに基づいて各ニューメロロジーのＭＩＢを受信する。なお、Ｎ２及び／又はＮ３用のＭＩＢと共通同期信号間のオフセットに関する情報をＮ１用のＭＩＢに含めてユーザ端末に通知してもよい。
【００７４】
複数のニューメロロジー毎にそれぞれ同期信号が設定される場合（separate  SS）、ユーザ端末は、各ニューメロロジーにおいて、同期信号との間に設定されるオフセットに基づいてターゲットニューメロロジーのＭＩＢを受信することができる。
【００７５】
図８は、各ニューメロロジー（ここでは、Ｎ１−Ｎ３）でそれぞれ送信される同期信号に基づいて、各ニューメロロジーのＭＩＢをそれぞれ受信する場合の一例を示している。ユーザ端末が、ターゲットニューメロロジーとして、Ｎ１−Ｎ３を選択した場合、各ニューメロロジーの同期信号に基づいて各ニューメロロジーのＭＩＢをそれぞれ受信する。各ニューメロロジーにおいて、同期信号とＭＩＢ間に設定されるオフセットは予め定義することができる。なお、各ニューメロロジーにおいて同期信号とＭＩＢ間に設定されるオフセットは、共通としてもよいし個別に設定してもよい。
【００７６】
なお、同期信号とＭＩＢ間に設定されるオフセット（周波数及び／又は時間リソースオフセット）は、所定単位（例えば、ＰＲＢ）で設定することができる。ＭＩＢ検出時間（ユーザ端末がＭＩＢを検出するタイミング）は、同期信号を基準として設定された固定的なオフセット（時間リソースオフセット）に基づいて決定することができる。あるいは、所定のシステムフレーム番号及び／又はサブフレームインデックスにＭＩＢを設定してもよい。
【００７７】
各ニューメロロジーのＭＩＢには、各ニューメロロジーに固有の情報を含めることができる。また、複数のニューメロロジーに共通のシステム情報（ＭＩＢ）は、異なるニューメロロジーのＭＩＢにそれぞれ含めてもよい。なお、ニューメロロジーに固有な情報及び複数ニューメロロジーに共通の情報としては、上記第１の態様で示した情報を適用することができる。
【００７８】
＜ユーザ端末動作＞
ユーザ端末は、同期信号（shared  SS又はseparate  SS）を受信した後、ターゲットニューメロロジーを選択する。ユーザ端末が１つのニューメロロジーのみサポートしている場合、当該ニューメロロジーでＭＩＢを受信し、その後の手順（ＳＩＢ受信等）を行う。
【００７９】
ユーザ端末が複数のニューメロロジーをサポートしている場合、当該複数のニューメロロジーにおいてＭＩＢをそれぞれ受信した後に、ターゲットニューメロロジーを選択する。あるいは、複数のニューメロロジーの中からターゲットニューメロロジーを選択した後、ターゲットニューメロロジーにおいてＭＩＢの受信を行う。ターゲットＭＩＢを受信した後、ＳＩＢの受信処理等を行う。
【００８０】
このように、複数のニューメロロジーのＭＩＢを受信する場合、ターゲットニューメロロジー（又は、サポートするニューメロロジー）のＭＩＢを直接受信することにより、ユーザ端末動作を簡略化することができる。
【００８１】
（第３の態様）
第３の態様では、システム情報（ＭＩＢの内容）を複数のニューメロロジーで組み合わせて報知チャネル（ＭＩＢ）の送受信を制御する場合の一例について説明する。
【００８２】
図９は、ユーザ端末が所定のニューメロロジー（ここでは、Ｎ１）で送信されるＭＩＢ（Combined  MIB）を受信する場合の一例を示している。Ｎ１で送信されるＭＩＢには、Ｎ１に加えて他のニューメロロジーＮ２、Ｎ３に対応するシステム情報も含まれている。つまり、ユーザ端末は、一つのＭＩＢの受信により複数のニューメロロジーのシステム情報を取得することができる。
【００８３】
例えば、ユーザ端末は、無線基地局から送信される同期信号を受信して同期をとった後、所定のニューメロロジーで送信されるコンバインドＭＩＢの受信を行う。ユーザ端末がコンバインドＭＩＢが送信されるニューメロロジーを認識する方法として、あらかじめ当該ニューメロロジーを定義しておく方法、又は所定信号（例えば、同期信号）に基づいて判断する方法を適用することができる。コンバインドＭＩＢが送信されるニューメロロジーをアンカーニューメロロジーと呼んでもよい。
【００８４】
例えば、複数のニューメロロジーで同期信号が共通に設定される場合（shared  SS  design）、ユーザ端末は、共通同期信号が送信されるニューメロロジーをコンバインドＭＩＢが送信されるニューメロロジーと判断する。この場合、ユーザ端末は、同期信号に対して受信処理（例えば、ブラインド検出）を行うことにより、コンバインドＭＩＢが送信されるニューメロロジーを把握することができる。
【００８５】
複数のニューメロロジー毎に同期信号がそれぞれ設定される場合（separate  SS  design）、所定のニューメロロジーをコンバインドＭＩＢが送信されるニューメロロジーとしてあらかじめ定義しておけばよい。所定のニューメロロジーとしては、あるサブキャリア間隔（例えば、１５ｋＨｚ）を適用するニューメロロジーとすることができる。
【００８６】
所定のニューメロロジーで送信されるコンバインドＭＩＢの位置（周波数及び／又は時間リソース）は、あらかじめ定義してもよい。あるいは、同期信号（例えば、所定のニューメロロジーの同期信号）の位置から所定オフセット（例えば、周波数及び／又は時間リソースオフセット）だけ離れた位置にコンバインドＭＩＢを配置する構成としてもよい。
【００８７】
ユーザ端末は、自端末がサポートするニューメロロジーの少なくとも一つを選択して通信を制御する。例えば、複数のニューメロロジーのうちコンバインドＭＩＢが送信される所定のニューメロロジーのみサポートするユーザ端末は、当該所定のニューメロロジーでコンバインドＭＩＢを検出してシステム情報を取得する。
【００８８】
複数のニューメロロジーをサポートするユーザ端末は、所定数Ｍ（例えば、Ｍ（≧１））のニューメロロジーをターゲットニューメロロジーとして選択することができる。所定数Ｍと当該Ｍ個のニューメロロジーは、ユーザ端末の能力等に基づいてユーザ端末が自律的に決定してもよいし、無線基地局からの指示により決定してもよい。あるいは、ユーザ端末は、あらかじめ定義された規則（又は選択テーブル）に基づいてニューメロロジーを選択する。
【００８９】
無線基地局がユーザ端末にターゲットニューメロロジーを指定する場合、当該無線基地局は、例えば、ニューメロロジーの優先度に関する情報をユーザ端末に通知する。ニューメロロジーの優先度に関する情報は、コンバインドＭＩＢ及び／又はアンカーニューメロロジーで送信されるＳＩＢに含めてユーザ端末に通知することができる。ユーザ端末は、ニューメロロジーの優先度に関する情報に基づいて、自端末がサポートするニューメロロジーのうちＭ個（例えば、最も優先度が高い１つ）のニューメロロジーを選択する。
【００９０】
ユーザ端末は、選択したターゲットニューメロロジーに対応するシステム情報をコンバインドＭＩＢから取得する。コンバインドＭＩＢには、複数のニューメロロジーに共通の情報や各ニューメロロジーに固有の情報を含めることができる。無線基地局はコンバインドＭＩＢにターゲットニューメロロジーを指定する情報を含めてユーザ端末に通知することができる。例えば、無線基地局は、ターゲットニューメロロジーを指定する情報を所定ビット（例えば、２ビット）でユーザ端末に通知する。
【００９１】
２ビットの一例として、サブキャリア間隔が１５ＫＨｚに対応するニューメロロジー（例えば、Ｎ１）と３０ＫＨｚに対応するニューメロロジー（Ｎ２）を“００”、１５ＫＨｚに対応するニューメロロジー（例えば、Ｎ１）と６０ＫＨｚに対応するニューメロロジー（Ｎ３）を“０１”、１５ＫＨｚに対応するニューメロロジー（例えば、Ｎ１）と３０ＫＨに対応するニューメロロジー（例えば、Ｎ２）と６０ＫＨｚに対応するニューメロロジー（Ｎ３）を“１０”に設定する（“１１”はリザーブ）。ユーザ端末は、コンバインドＭＩＢに含まれるビット値に基づいて、ターゲットニューメロロジーを判断することができる。
【００９２】
あるいは、ターゲットニューメロロジーの指定をビットマップ（例えば、Ｎ１−Ｎ３に対応する３ビットのビットマップ）を用いてユーザ端末に通知してもよい。
【００９３】
また、異なるニューメロロジー間で共通のＳＦＮ及び／又はサブフレーム番号を適用する場合、当該ＳＦＮ及び／又はサブフレーム番号に関する情報をコンバインドＭＩＢに含めてユーザ端末に通知する。あるいは、あるニューメロロジーに固有のＳＦＮ及び／又はサブフレーム番号を適用する場合にも、当該ニューメロロジー固有のＳＦＮ及び／又はサブフレーム番号に関する情報をコンバインドＭＩＢに含めてユーザ端末に通知する。
【００９４】
また、各ニューメロロジーの構成に関する情報をコンバインドＭＩＢに含めてもよい。ターゲットニューメロロジーの中心領域（中央のＰＲＢ番号）に関する情報をコンバインドＭＩＢに含めてユーザ端末に通知してもよい。ターゲットニューメロロジーの中心領域（中央のＰＲＢ番号）に関する情報としては、例えば、所定ニューメロロジー（コンバインドＭＩＢが送信されるニューメロロジー）と、ターゲットニューメロロジー間に設定されるオフセットとすることができる。ユーザ端末は、ターゲットニューメロロジーの構成に関する情報に基づいて、その後の処理（例えば、ランダムアクセス手順）を適切に行うことができる。
【００９５】
また、ターゲットニューメロロジーの受信に利用する参照信号に関するパラメータ（例えば、ポート番号、時間及び／又は周波数リソース等）、ＰＲＡＣＨに関するパラメータ（例えば、ランダムアクセス用のプリアンブルインデックス、時間及び／又は周波数リソース等）をコンバインドＭＩＢに含めてもよい。
【００９６】
＜ユーザ端末動作＞
ユーザ端末は、同期信号（shared  SS又はseparate  SS）を受信した後、所定のニューメロロジーでコンバインドＭＩＢの検出を行う。コンバインドＭＩＢが送信されるニューメロロジーの認識方法は上述した方法を適用することができる。次に、ユーザ端末は、ターゲットニューメロロジーを選択する。ターゲットニューメロロジーは、コンバインドＭＩＢに含まれる情報に基づいて選択してもよい。ユーザ端末が１つのニューメロロジーのみサポートしている場合、当該ニューメロロジーでコンバインドＭＩＢを受信し、その後の手順（ＳＩＢ受信等）を行う。
【００９７】
ユーザ端末が複数のニューメロロジーをサポートしている場合、ターゲットニューメロロジーを選択して、コンバインドＭＩＢからターゲットニューメロロジーに対応するシステム情報を取得する。ターゲットニューメロロジーのシステム情報を取得した後、ＳＩＢの受信処理等を行う。
【００９８】
このように、複数のニューメロロジーのＭＩＢを組み合わせたコンバインドＭＩＢを設定することにより、一つのＭＩＢの受信に基づいて各ニューメロロジーのシステム情報を取得することができる。これにより、複数のＭＩＢの受信処理を抑制することができる。
【００９９】
（変形例１）
上記図９では、複数のニューメロロジー（Ｎ１−Ｎ３全て）のシステム情報（ＭＩＢ）を組み合わせてコンバインドＭＩＢとして送信する形態を示したが、一部のニューメロロジーのシステム情報を選択的に組み合わせてコンバインドＭＩＢとしてもよい。
【０１００】
図１０は、３つのニューメロロジー（Ｎ１−Ｎ３）のうち２つのニューメロロジー（例えば、Ｎ１とＮ２）に対応するシステム情報を組み合わせてコンバインドＭＩＢとして送信する場合を示している。この場合、残りの１つのニューメロロジー（Ｎ３）のシステム情報は、コンバインドＭＩＢとは別に送信する。２つのニューメロロジーのＭＩＢが組み合わされたコンバインドＭＩＢはハイブリッドＭＩＢ（hybrid  MIB）と呼んでもよい。
【０１０１】
Ｎ１とＮ２のシステム情報が組み合わされたコンバインドＭＩＢと、Ｎ３のシステム情報を含むＭＩＢは同一のニューメロロジーで送信してもよいし、異なるニューメロロジーで送信してもよい。他のニューメロロジーのＭＩＢが送信されるニューメロロジー（ここでは、Ｎ１）は、アンカーニューメロロジーと呼んでもよい。ユーザ端末がアンカーニューメロロジーを認識する方法は、上記第１の態様又は第３の態様で示した方法を利用することができる。
【０１０２】
システム情報を組み合わせるニューメロロジーは適宜選択することができる。例えば、報知チャネル（ＰＢＣＨ）の送信周期が同じニューメロロジーのＭＩＢをそれぞれ組み合わせてコンバインドＭＩＢとすることができる。あるいは、ニューメロロジーの構成（例えば、サブキャリア間隔）が近いニューメロロジー同士のＭＩＢをそれぞれ組み合わせてコンバインドＭＩＢとしてもよい。例えば、サブキャリア間隔が１５ＫＨｚ、３０ＫＨｚ、６０ＫＨｚの３つのニューメロロジーが設定される場合、１５ＫＨｚのニューメロロジーと３０ＫＨｚのニューメロロジーを組み合わせることが好ましい。
【０１０３】
コンバインドＭＩＢ及び／又は他のニューメロロジーのＭＩＢを配置する位置（周波数及び／又は時間リソース）は、所定信号（例えば、同期信号）から所定のオフセット（周波数及び／又は時間リソースオフセット）だけ離れた位置とすることができる。
【０１０４】
複数のニューメロロジー（例えば、Ｎ１とＮ２）のシステム情報が組み合わされたコンバインドＭＩＢには、Ｎ１とＮ２に対応するシステム情報を含めてユーザ端末に通知する。コンバインドＭＩＢとは別に送信されるＭＩＢには、Ｎ３に対応するシステム情報を含めてユーザ端末に通知する。Ｎ３に対応するシステム情報としては、当該Ｎ３の構成（例えば、Ｎ３における中心周波数（中心ＰＲＢ））に関する情報、Ｎ３で利用されるＳＦＮ及び／又はサブフレーム番号に関する情報、Ｎ３で利用される参照信号に関する情報、Ｎ３で利用されるＰＲＡＣＨに関する情報等が挙げられる。
【０１０５】
＜ユーザ端末動作＞
まず、ユーザ端末は、同期信号（shared  SS又はseparate  SS）を受信する。その後、自端末がサポートする複数のニューメロロジーに対するＭＩＢの検出を行った後、ターゲットニューメロロジーの選択を行う。あるいは、ユーザ端末は、ターゲットニューメロロジーの選択を行った後、選択したターゲットニューメロロジーに対するＭＩＢを選択的に検出してもよい。
【０１０６】
このように、全てのニューメロロジーのシステム情報を組み合わせるのでなく、一部のニューメロロジーのシステム情報をコンバインドＭＩＢとは別に送信することにより、各ニューメロロジーのシステム情報の送受信を柔軟に制御することができる。
【０１０７】
（変形例２）
上記図２では、アンカーＭＩＢと当該アンカーＭＩＢに基づいて受信する他のＭＩＢ（ターゲットＭＩＢ）を異なるニューメロロジー（周波数帯域）に配置する場合を示したが、ターゲットＭＩＢをアンカーニューメロロジーで送信してもよい。
【０１０８】
図１１は、アンカーＭＩＢと、当該アンカーＭＩＢに基づいて受信を行うターゲットＭＩＢをアンカーニューメロロジー（ここでは、Ｎ１）で送信する場合を示している。アンカーＭＩＢが送信されるアンカーニューメロロジーの認識方法、アンカーＭＩＢの配置位置は上記第１の態様と同様に設定することができる。
【０１０９】
ターゲットＭＩＢの配置位置（例えば、時間リソース）は、アンカーＭＩＢとの間に設定されたオフセットに基づいて設定してもよいし、予め定義された固定ＳＦＮ及び／又はサブフレームインデックスに基づいて設定してもよい。各ターゲットＭＩＢとアンカーＭＩＢ間にオフセットを設定する場合、当該オフセットに関する情報はアンカーＭＩＢに含めてユーザ端末に通知してもよい。
【０１１０】
アンカーＭＩＢに含めるシステム情報及び／又はターゲットＭＩＢに含めるシステム情報は、上記第１の態様と同様に設定することができる。
【０１１１】
＜ユーザ端末動作＞
ユーザ端末は、同期信号（shared  SS又はseparate  SS）を受信した後、アンカーニューメロロジーでアンカーＭＩＢの検出を行う。アンカーニューメロロジーの認識方法は第１の態様で示した方法を適用することができる。次に、ユーザ端末は、ターゲットニューメロロジーを選択する。
【０１１２】
ユーザ端末が複数のニューメロロジーをサポートしている場合、アンカーＭＩＢに基づいて選択したターゲットニューメロロジーのＭＩＢを受信する。ターゲットＭＩＢを受信した後、ＳＩＢの受信処理等を行う。
【０１１３】
このように、ターゲットＭＩＢをアンカーＭＩＢと同じアンカーニューメロロジーで送信することにより、ユーザ端末は同じニューメロロジーで各ニューメロロジーのシステム情報を受信することができる。また、アンカーＭＩＢとターゲットＭＩＢを同じ周波数位置に設定する場合、ユーザ端末は所定信号（例えば、アンカーＭＩＢ）からの時間オフセットだけ考慮してターゲットＭＩＢを受信することができる。この場合、周波数オフセットに関する情報が不要となるため、オーバーヘッドの増加を抑制することができる。
【０１１４】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１１５】
図１２は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  Rat）等と呼ばれても良い。
【０１１６】
図１２に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、あるＲＡＴにおける信号のデザインや、ＲＡＴのデザインを特徴付ける通信パラメータのセットのことをいう。
【０１１７】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。なお、複数のセルのいずれかに短縮ＴＴＩを適用するＴＤＤキャリアが含まれる構成とすることができる。
【０１１８】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚ等）で帯域幅が広いキャリアが用いられてもよいし、無線基地局１１との間と同じキャリアが用いられてもよい。なお、各無線基地局が利用する周波数帯域の構成はこれに限られない。
【０１１９】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェース等）又は無線接続する構成とすることができる。
【０１２０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置３０に接続されてもよい。
【０１２１】
なお、無線基地局１１は、相対的に広いカバレッジを有する無線基地局であり、マクロ基地局、集約ノード、ｅＮＢ（eNodeB）、送受信ポイント、等と呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイント等と呼ばれてもよい。以下、無線基地局１１及び１２を区別しない場合は、無線基地局１０と総称する。
【０１２２】
各ユーザ端末２０は、ＬＴＥ、ＬＴＥ−Ａ等の各種通信方式に対応した端末であり、移動通信端末だけでなく固定通信端末を含んでもよい。
【０１２３】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１２４】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネル等が用いられる。ＰＤＳＣＨにより、ユーザデータや上位レイヤ制御情報、ＳＩＢ（System  Information  Block）等が伝送される。また、ＰＢＣＨにより、ＭＩＢ（Master  Information  Block）が伝送される。
【０１２５】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）等を含む。ＰＤＣＣＨにより、ＰＤＳＣＨ及びＰＵＳＣＨのスケジューリング情報を含む下り制御情報（ＤＣＩ：Downlink  Control  Information）等が伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【０１２６】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）等が用いられる。ＰＵＳＣＨにより、ユーザデータ、上位レイヤ制御情報が伝送される。送達確認情報（ＡＣＫ／ＮＡＣＫ）や無線品質情報（ＣＱＩ）等の少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルが伝送される。
【０１２７】
＜無線基地局＞
図１３は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２８】
無線基地局１０からユーザ端末２０に送信されるＤＬデータは、上位局装置３０から伝送路インターフェース１０６を介してベースバンド信号処理部１０４に入力される。
【０１２９】
ベースバンド信号処理部１０４では、ＤＬデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて送受信部１０３に転送される。また、ＤＬ制御信号に関しても、チャネル符号化や逆高速フーリエ変換等の送信処理が行われて、送受信部１０３に転送される。
【０１３０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３１】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１３２】
ベースバンド信号処理部１０４では、入力されたＵＬ信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１３３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３４】
なお、送受信部１０３は、ＤＬ信号（例えば、ＤＬ制御信号（ＤＬ制御チャネル）、ＤＬデータ信号（ＤＬデータチャネル、ＤＬ共有チャネル）、ＤＬ参照信号（ＤＭ−ＲＳ、ＣＳＩ−ＲＳ等）、ディスカバリ信号、同期信号、ブロードキャスト信号等）を送信し、ＵＬ信号（例えば、ＵＬ制御信号（ＵＬ制御チャネル）、ＵＬデータ信号（ＵＬデータチャネル、ＵＬ共有チャネル）、ＵＬ参照信号等）を受信する。
【０１３５】
具体的には、送受信部１０３は、各ニューメロロジーのシステム情報（ＭＩＢ）をユーザ端末に送信する。例えば、送受信部１０３は、アンカーＭＩＢ（アンカー報知チャネル）をアンカーニューメロロジーで送信し、ターゲットＭＩＢ（ターゲット報知チャネル）をアンカーニューメロロジー及び／又はターゲットニューメロロジーで送信する（図２、図１１参照）。アンカーＭＩＢには、複数のニューメロロジーが設定される帯域幅に関する情報、ターゲットＭＩＢの配置領域に関する情報、ＳＦＮ及び／又はサブフレームインデックスに関する情報、参照信号の構成やＰＲＡＣＨの構成に関する情報等が含まれる。ターゲットＭＩＢには、ターゲットニューメロロジーに固有の情報が含まれる。
【０１３６】
また、送受信部１０３は、各ニューメロロジーにおいて当該ニューメロロジーに対応するＭＩＢをそれぞれ送信する（図６参照）。あるいは、送受信部１０３は、所定のニューメロロジーにおいて、複数のニューメロロジーの一部又は全部が組み合わされたコンバインドＭＩＢを送信する（図９、図１０参照）。
【０１３７】
本発明の送信部及び受信部は、送受信部１０３及び／又は伝送路インターフェース１０６により構成される。
【０１３８】
図１４は、本実施の形態に係る無線基地局の機能構成の一例を示す図である。なお、図１４では、本実施形態における特徴部分の機能ブロックを主に示しており、無線基地局１０は、無線通信に必要な他の機能ブロックも有しているものとする。図１４に示すように、ベースバンド信号処理部１０４は、制御部３０１と、送信信号生成部３０２と、マッピング部３０３と、受信信号処理部３０４と、測定部３０５と、を少なくとも備えている。
【０１３９】
制御部３０１は、無線基地局１０全体の制御を実施する。制御部３０１は、本発明に係る技術分野での共通認識に基づいて説明されるコントローラ、制御回路又は制御装置から構成することができる。
【０１４０】
制御部３０１は、例えば、送信信号生成部３０２による信号（システム情報、ＭＩＢ等）の生成や、マッピング部３０３による信号の割り当てを制御する。また、制御部３０１は、受信信号処理部３０４による信号の受信処理や、測定部３０５による信号の測定を制御する。
【０１４１】
制御部３０１は、ＤＬ信号及び／又はＵＬ信号のスケジューリング（例えば、リソース割り当て）を制御する。具体的には、制御部３０１は、システム情報（ＭＩＢ、ＳＩＢ等）、ＤＬデータチャネルのスケジューリング情報を含むＤＣＩ（ＤＬアサインメント）、ＤＬ参照信号、ＵＬデータチャネルのスケジューリング情報を含むＤＣＩ（ＵＬグラント）、ＵＬ参照信号等を生成及び送信するように、送信信号生成部３０２、マッピング部３０３、送受信部１０３を制御する。
【０１４２】
制御部３０１は、異なるニューメロロジーに対応するＭＩＢ（アンカーＭＩＢ、ターゲットＭＩＢ等）を周波数及び／又は時間分割多重するように割当てを制御することができる。
【０１４３】
送信信号生成部３０２は、制御部３０１からの指示に基づいて、ＤＬ信号（ＤＬ制御チャネル、ＤＬデータチャネル、ＤＬ参照信号等）を生成して、マッピング部３０３に出力する。送信信号生成部３０２は、本発明に係る技術分野での共通認識に基づいて説明される信号生成器、信号生成回路又は信号生成装置から構成することができる。
【０１４４】
マッピング部３０３は、制御部３０１からの指示に基づいて、送信信号生成部３０２で生成されたＤＬ参照信号等のＤＬ信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４５】
受信信号処理部３０４は、送受信部１０３から入力された受信信号に対して、受信処理（例えば、デマッピング、復調、復号等）を行う。ここで、受信信号は、例えば、ユーザ端末２０から送信されるＵＬ信号（ＵＬ制御チャネル、ＵＬデータチャネル、ＵＬ参照信号等）である。受信信号処理部３０４は、本発明に係る技術分野での共通認識に基づいて説明される信号処理器、信号処理回路又は信号処理装置から構成することができる。
【０１４６】
受信信号処理部３０４は、受信処理により復号された情報を制御部３０１に出力する。例えば、受信処理部３０４は、プリアンブル、制御情報、ＵＬデータの少なくとも一つを制御部３０１に出力する。また、受信信号処理部３０４は、受信信号や、受信処理後の信号を、測定部３０５に出力する。
【０１４７】
測定部３０５は、受信した信号に関する測定を実施する。測定部３０５は、本発明に係る技術分野での共通認識に基づいて説明される測定器、測定回路又は測定装置から構成することができる。
【０１４８】
測定部３０５は、例えば、受信した信号の受信電力（例えば、ＲＳＲＰ（Reference  Signal  Received  Power））、受信品質（例えば、ＲＳＲＱ（Reference  Signal  Received  Quality））やチャネル状態等について測定してもよい。測定結果は、制御部３０１に出力されてもよい。
【０１４９】
＜ユーザ端末＞
図１５は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５０】
送受信アンテナ２０１で受信された無線周波数信号は、アンプ部２０２で増幅される。送受信部２０３は、アンプ部２０２で増幅されたＤＬ信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５１】
ベースバンド信号処理部２０４は、入力されたベースバンド信号に対して、ＦＦＴ処理や、誤り訂正復号、再送制御の受信処理等を行う。ＤＬデータは、アプリケーション部２０５に転送される。アプリケーション部２０５は、物理レイヤやＭＡＣレイヤより上位のレイヤに関する処理等を行う。また、ＤＬデータのうち、システム情報や上位レイヤ制御情報もアプリケーション部２０５に転送される。
【０１５２】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理等が行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１５３】
なお、送受信部２０３は、ＤＬ信号（例えば、ＤＬ制御信号（ＤＬ制御チャネル）、ＤＬデータ信号（ＤＬデータチャネル、ＤＬ共有チャネル）、ＤＬ参照信号（ＤＭ−ＲＳ、ＣＳＩ−ＲＳ等）、ディスカバリ信号、同期信号、報知信号等）を受信し、ＵＬ信号（例えば、ＵＬ制御信号（ＵＬ制御チャネル）、ＵＬデータ信号（ＵＬデータチャネル、ＵＬ共有チャネル）、ＵＬ参照信号等）を送信する。
【０１５４】
具体的には、送受信部２０３は、各ニューメロロジーに対応するシステム情報（ＭＩＢ）を無線基地局から受信する。例えば、送受信部２０３は、アンカーＭＩＢ（アンカー報知チャネル）をアンカーニューメロロジーで受信し、ターゲットＭＩＢ（ターゲット報知チャネル）をアンカーニューメロロジー及び／又はターゲットニューメロロジーで受信する（図２、図１１参照）。アンカーＭＩＢには、複数のニューメロロジーが設定される帯域幅に関する情報、ターゲットＭＩＢの配置領域に関する情報、ＳＦＮ及び／又はサブフレームインデックスに関する情報、参照信号の構成やＰＲＡＣＨの構成に関する情報等が含まれる。ターゲットＭＩＢには、ターゲットニューメロロジーに固有の情報が含まれる。
【０１５５】
また、送受信部２０３は、各ニューメロロジーにおいて当該ニューメロロジーに対応するＭＩＢをそれぞれ受信する（図６参照）。あるいは、送受信部２０３は、所定のニューメロロジーにおいて、複数のニューメロロジーの一部又は全部が組み合わされたコンバインドＭＩＢを受信する（図９、図１０参照）。
【０１５６】
図１６は、本実施の形態に係るユーザ端末の機能構成の一例を示す図である。なお、図１６においては、本実施の形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１５７】
制御部４０１は、ユーザ端末２０全体の制御を実施する。制御部４０１は、本発明に係る技術分野での共通認識に基づいて説明されるコントローラ、制御回路又は制御装置から構成することができる。
【０１５８】
制御部４０１は、例えば、送信信号生成部４０２による信号の生成や、マッピング部４０３による信号の割り当てを制御する。また、制御部４０１は、受信信号処理部４０４による信号（ＭＩＢ等）の受信処理や、測定部４０５による信号の測定を制御する。
【０１５９】
制御部４０１は、各ニューメロロジーで送信される報知チャネル（ＭＩＢ）又は所定のニューメロロジーで選択的に送信される報知チャネル（ＭＩＢ）の受信を制御する。例えば、制御部４０１は、所定のニューメロロジーで送信されるアンカー報知チャネルに基づいて、他のニューメロロジーで送信される報知チャネルの受信を制御する（図２参照）。また、制御部４０１は、ニューメロロジー毎にそれぞれ送信される報知チャネルを、所定信号との間に設定されるオフセットに基づいて受信するように制御する（図７、図８参照）。
【０１６０】
あるいは、制御部４０１は、複数のニューメロロジーのシステム情報が組み合わされた情報（コンバインドＭＩＢ）を所定のニューメロロジーで受信するように制御する（図９、図１０参照）。あるいは、制御部４０１は、所定のニューメロロジーでアンカー報知チャネルを受信すると共に、アンカー報知チャネルに基づいて他のニューメロロジーのシステム情報を含む報知チャネルを当該所定のニューメロロジーで受信するように制御する（図１１参照）。
【０１６１】
送信信号生成部４０２は、制御部４０１からの指示に基づいて、ＵＬ信号（ＵＬ制御チャネル、ＵＬデータチャネル、ＵＬ参照信号等）を生成して、マッピング部４０３に出力する。送信信号生成部４０２は、本発明に係る技術分野での共通認識に基づいて説明される信号生成器、信号生成回路又は信号生成装置から構成することができる。
【０１６２】
送信信号生成部４０２は、制御部４０１からの指示に基づいてＵＬデータチャネルを生成する。例えば、送信信号生成部４０２は、無線基地局１０から通知されるＤＬ制御チャネルにＵＬグラントが含まれている場合に、制御部４０１からＵＬデータチャネルの生成を指示される。
【０１６３】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１６４】
受信信号処理部４０４は、送受信部２０３から入力された受信信号に対して、受信処理（例えば、デマッピング、復調、復号等）を行う。ここで、受信信号は、例えば、無線基地局１０から送信されるＤＬ信号（ＤＬ制御チャネル、ＤＬデータチャネル、ＤＬ参照信号等）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６５】
受信信号処理部４０４は、制御部４０１の指示に基づいて、同期信号やＭＩＢをブラインド検出して受信処理を行う。また、受信信号処理部４０４は、ＤＭ−ＲＳ又はＣＲＳ等の参照信号に基づいてチャネル利得を推定し、推定されたチャネル利得に基づいて、ＤＬ信号を復調する。
【０１６６】
受信信号処理部４０４は、受信処理により復号された情報を制御部４０１に出力する。受信信号処理部４０４は、例えば、報知情報、システム情報、ＲＲＣシグナリング、ＤＣＩ等を、制御部４０１に出力する。受信信号処理部４０４は、データの復号結果を制御部４０１に出力してもよい。また、受信信号処理部４０４は、受信信号や、受信処理後の信号を、測定部４０５に出力する。
【０１６７】
測定部４０５は、受信した信号に関する測定を実施する。測定部４０５は、本発明に係る技術分野での共通認識に基づいて説明される測定器、測定回路又は測定装置から構成することができる。
【０１６８】
測定部４０５は、例えば、受信した信号の受信電力（例えば、ＲＳＲＰ）、ＤＬ受信品質（例えば、ＲＳＲＱ）やチャネル状態等について測定してもよい。測定結果は、制御部４０１に出力されてもよい。
【０１６９】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【０１７０】
例えば、本発明の一実施形態における無線基地局、ユーザ端末等は、本発明の無線通信方法の処理を行うコンピュータとして機能してもよい。図１７は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７等を含むコンピュータ装置として構成されてもよい。
【０１７１】
なお、以下の説明では、「装置」という文言は、回路、デバイス、ユニット等に読み替えることができる。無線基地局１０及びユーザ端末２０のハードウェア構成は、図に示した各装置を１つ又は複数含むように構成されてもよいし、一部の装置を含まずに構成されてもよい。
【０１７２】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１７３】
無線基地局１０及びユーザ端末２０における各機能は、例えば、プロセッサ１００１、メモリ１００２等のハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１７４】
プロセッサ１００１は、例えば、オペレーティングシステムを動作させてコンピュータ全体を制御する。プロセッサ１００１は、周辺装置とのインターフェース、制御装置、演算装置、レジスタ等を含む中央処理装置（ＣＰＵ：Central  Processing  Unit）で構成されてもよい。例えば、上述のベースバンド信号処理部１０４（２０４）、呼処理部１０５等は、プロセッサ１００１で実現されてもよい。
【０１７５】
また、プロセッサ１００１は、プログラム（プログラムコード）、ソフトウェアモジュール、データ等を、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１７６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）等と呼ばれてもよい。メモリ１００２は、本発明の一実施形態に係る無線通信方法を実施するために実行可能なプログラム（プログラムコード）、ソフトウェアモジュール等を保存することができる。
【０１７７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）等）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１７８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザ等を含んで構成されてもよい。例えば、上述の送受信アンテナ１０１（２０１）、アンプ部１０２（２０２）、送受信部１０３（２０３）、伝送路インターフェース１０６等は、通信装置１００４で実現されてもよい。
【０１７９】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤ（Light  Emitting  Diode）ランプ等）である。なお、入力装置１００５及び出力装置１００６は、一体となった構成（例えば、タッチパネル）であってもよい。
【０１８０】
また、プロセッサ１００１やメモリ１００２等の各装置は、情報を通信するためのバス１００７で接続される。バス１００７は、単一のバスで構成されてもよいし、装置間で異なるバスで構成されてもよい。
【０１８１】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１８２】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号等と呼ばれてもよい。また、コンポーネントキャリア（ＣＣ：Component  Carrier）は、セル、周波数キャリア、キャリア周波数等と呼ばれてもよい。
【０１８３】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボル等）で構成されてもよい。
【０１８４】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１８５】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力等）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリングやリンクアダプテーション等の処理単位となってもよい。
【０１８６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレーム等と呼ばれてもよい。通常ＴＴＩより短いＴＴＩは、短縮ＴＴＩ、ショートＴＴＩ、短縮サブフレーム、又はショートサブフレーム等と呼ばれてもよい。
【０１８７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペア等と呼ばれてもよい。
【０１８８】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１８９】
なお、上述した無線フレーム、サブフレーム、スロット及びシンボル等の構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長等の構成は、様々に変更することができる。
【０１９０】
また、本明細書で説明した情報、パラメータ等は、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式等は、本明細書で明示的に開示したものと異なってもよい。
【０１９１】
本明細書においてパラメータ等に使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）等）及び情報要素は、あらゆる好適な名称によって識別できるので、これらの様々なチャネル及び情報要素に割り当てている様々な名称は、いかなる点においても限定的なものではない。
【０１９２】
本明細書で説明した情報、信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【０１９３】
また、情報、信号等は、上位レイヤから下位レイヤ、及び／又は下位レイヤから上位レイヤへ出力され得る。情報、信号等は、複数のネットワークノードを介して入出力されてもよい。
【０１９４】
入出力された情報、信号等は、特定の場所（例えば、メモリ）に保存されてもよいし、管理テーブルで管理してもよい。入出力される情報、信号等は、上書き、更新又は追記をされ得る。出力された情報、信号等は、削除されてもよい。入力された情報、信号等は、他の装置へ送信されてもよい。
【０１９５】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）等）、ＭＡＣ（Medium  Access  Control）シグナリング）、その他の信号又はこれらの組み合わせによって実施されてもよい。
【０１９６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）等と呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージ等であってもよい。また、ＭＡＣシグナリングは、例えば、ＭＡＣ制御要素（ＭＡＣ  ＣＥ（Control  Element））で通知されてもよい。
【０１９７】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１９８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。
【０２００】
また、ソフトウェア、命令、情報等は、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）等）及び／又は無線技術（赤外線、マイクロ波等）を使用してウェブサイト、サーバ、又は他のリモートソースから送信される場合、これらの有線技術及び／又は無線技術は、伝送媒体の定義内に含まれる。
【０２０１】
本明細書で使用する「システム」及び「ネットワーク」という用語は、互換的に使用される。
【０２０２】
本明細書では、「基地局（ＢＳ：Base  Station）」、「無線基地局」、「ｅＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセル等の用語で呼ばれる場合もある。
【０２０３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０４】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセル等の用語で呼ばれる場合もある。
【０２０５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」等の文言は、「サイド」と読み替えられてもよい。例えば、上りチャネルは、サイドチャネルと読み替えられてもよい。
【０２０７】
同様に、本明細書におけるユーザ端末は、無線基地局で読み替えてもよい。この場合、上述のユーザ端末２０が有する機能を無線基地局１０が有する構成としてもよい。
【０２０８】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）等が考えられるが、これらに限られない）又はこれらの組み合わせによって行われ得ることは明らかである。
【０２０９】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【０２１０】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１２】
本明細書で使用する「第１の」、「第２の」等の呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２１３】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）等を「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）等を「判断（決定）」することであるとみなされてもよい。また、「判断（決定）」は、解決（resolving）、選択（selecting）、選定（choosing）、確立（establishing）、比較（comparing）等を「判断（決定）」することであるとみなされてもよい。つまり、「判断（決定）」は、何らかの動作を「判断（決定）」することであるとみなされてもよい。
【０２１４】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギー等を使用することにより、互いに「接続」又は「結合」されると考えることができる。
【０２１５】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０２１６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２１７】
本出願は、２０１６年８月１０日出願の特願２０１６−１５７９９３に基づく。この内容は、全てここに含めておく。
【図１】
2018030415.tif 000003
【図２】
2018030415.tif 000004
【図３】
2018030415.tif 000005
【図４】
2018030415.tif 000006
【図５】
2018030415.tif 000007
【図６】
2018030415.tif 000008
【図７】
2018030415.tif 000009
【図８】
2018030415.tif 000010
【図９】
2018030415.tif 000011
【図１０】
2018030415.tif 000012
【図１１】
2018030415.tif 000013
【図１２】
2018030415.tif 000014
【図１３】
2018030415.tif 000015
【図１４】
2018030415.tif 000016
【図１５】
2018030415.tif 000017
【図１６】
2018030415.tif 000018
【図１７】
2018030415.tif 000019
【国際調査報告】
2018030415.tif 000020
2018030415.tif 000021